(57)【要約】 【課題】  ロックアームとタブ片が変形しないようにする。【解決手段】  嵌合凹部２１の周壁の内外には、この嵌合凹部２１内に正規挿入された複数のサブハウジング３６を抜け止め状態で弾性係止可能なロックアーム３３が露出して形成されている。ロックアーム３３は、タブ片１３に接近・離間する方向に弾性撓み可能となっており、このロックアーム３３と当接することで同ロックアーム３３のタブ片１３側への弾性撓みを規制する撓み規制部４５が、自然状態にあるロックアーム３３の配設位置よりもタブ片１３寄りの位置で、かつロックアーム３３が相手側のサブハウジング３６を係止する係止位置とは別位置に配設されている。【選択図】  図１
2006331924.tif 000002
【特許請求の範囲】
【請求項１】
相手側の端子金具と接続可能なタブ片を備えたバスバーと、このバスバーを収容しかつ前面に相手側のハウジングを嵌合可能な嵌合凹部を開口させてこの嵌合凹部内に前記タブ片を突出させたバスバー収容部とを備えたジョイントコネクタであって、
前記嵌合凹部の周壁の内外に露出し、この嵌合凹部内に正規挿入された前記相手側のハウジングを抜け止め状態で弾性係止可能なロックアームが形成され、
前記ロックアームは、前記タブ片に接近・離間する方向に弾性撓み可能となっており、さらに、自然状態にある前記ロックアームの配設位置よりも前記タブ片寄りの位置で、かつ前記ロックアームが前記相手側のハウジングを係止する係止位置とは別位置には、前記ロックアームと当接することで同ロックアームの前記タブ片側への弾性撓みを規制する撓み規制部が設けられていることを特徴とするジョイントコネクタ。
【請求項２】
前記バスバー収容部の後部には前記バスバーを抜け止めするためのカバーが被せ付けられるようになっており、前記撓み規制部は前記カバーの前面に突出して形成されており、かつ、前記カバーが前記バスバー収容部に装着されるのに伴って前記撓み規制部が前記ロックアームの弾性撓みを規制可能な位置に至ることを特徴とする請求項１に記載のジョイントコネクタ。
【請求項３】
前記ロックアームには、前記カバーの装着動作に伴って前記撓み規制部が摺動可能に進入する進入溝が切り欠きにより形成されていることを特徴とする請求項２に記載のジョイントコネクタ。
【発明の詳細な説明】
【技術分野】
【０００１】
本発明は、ジョイントコネクタに関する。
【背景技術】
【０００２】
ジョイントコネクタとして特許文献１に記載のものが知られている。このジョイントコネクタは、複数のタブ片を並列させたバスバーと、バスバーを装着するバスバー収容部と、バスバー収容部の後面に被せつけられてバスバーを抜け止めするカバーとからなる。バスバー収容部の前面には、相手側のハウジングと嵌合可能な嵌合凹部が開口して形成され、バスバーのタブ片は嵌合凹部内に突出して配されている。
【特許文献１】特開２００４−２２３１９公報
【発明の開示】
【発明が解決しようとする課題】
【０００３】
ところで、嵌合凹部の周壁に撓み変形可能なロックアームを形成するとともに、相手側のハウジングにロック受け部を形成し、このロック受け部とロックアームとの弾性係止作用に基づいて相手側のハウジングをバスバー収容部に抜け止めする方法が知られている。このとき、嵌合凹部の低背化等を図るべく、嵌合凹部の周壁を切り欠くことでロックアームを成形し、もってロックアームを嵌合凹部の周壁の内外に露出させることがある。しかし、その場合にはロックアームとタブ片との間に仕切りがなくなるため、仮に、ロックアームが外力を受けてタブ片側に大きく撓み変形すると、最後にはタブ片と突き当たって、タブ片とロックアームのいずれか一方もしくは両方が塑性変形するおそれがある。
【０００４】
本発明は上記のような事情に基づいて完成されたものであって、外力を受けたときにロックアームやタブ片が変形しないようにすることを目的とする。
【課題を解決するための手段】
【０００５】
上記の目的を達成するための手段として、請求項１の発明は、相手側の端子金具と接続可能なタブ片を備えたバスバーと、このバスバーを収容しかつ前面に相手側のハウジングを嵌合可能な嵌合凹部を開口させてこの嵌合凹部内に前記タブ片を突出させたバスバー収容部とを備えたジョイントコネクタであって、前記嵌合凹部の周壁の内外に露出し、この嵌合凹部内に正規挿入された前記相手側のハウジングを抜け止め状態で弾性係止可能なロックアームが形成され、前記ロックアームは、前記タブ片に接近・離間する方向に弾性撓み可能となっており、さらに、自然状態にある前記ロックアームの配設位置よりも前記タブ片寄りの位置で、かつ前記ロックアームが前記相手側のハウジングを係止する係止位置とは別位置には、前記ロックアームと当接することで同ロックアームの前記タブ片側への弾性撓みを規制する撓み規制部が設けられているところに特徴を有する。
【０００６】
請求項２の発明は、請求項１に記載のものにおいて、前記バスバー収容部の後部には前記バスバーを抜け止めするためのカバーが被せ付けられるようになっており、前記撓み規制部は前記カバーの前面に突出して形成されており、かつ、前記カバーが前記バスバー収容部に装着されるのに伴って前記撓み規制部が前記ロックアームの弾性撓みを規制可能な位置に至るところに特徴を有する。
【０００７】
請求項３の発明は、請求項２に記載のものにおいて、前記ロックアームには、前記カバーの装着動作に伴って前記撓み規制部が摺動可能に進入する進入溝が切り欠きにより形成されているところに特徴を有する。
【発明の効果】
【０００８】
＜請求項１の発明＞
請求項１の発明によれば、仮に、自然状態にあるロックアームが外力を受けたとしても、このロックアームの配設位置よりもタブ片寄りの位置で、かつロックアームが相手側のハウジングを係止する位置とは別位置に配設された撓み規制部がロックアームと当接することによって、ロックアームがタブ片側に接近するのを規制するようにしたから、ロックアームとタブ片とが互いに当たり合うことがない。その結果、ロックアームとタブ片とが両者の突き当たりによって塑性変形する事態を回避できる。
【０００９】
＜請求項２の発明＞
請求項２の発明によれば、カバーがバスバー収容部に装着されるのに伴って撓み規制部がロックアームの弾性撓みを規制可能な位置に至るから、カバーの装着動作の完了をもってロックアームの弾性撓みが規制されたと認識することができる。また、カバーがバスバーを抜け止めするための機能とロックアームの弾性撓みを規制する機能とを併せ持つから、部品点数を削減できる。
【００１０】
＜請求項３の発明＞
ロックアームにはカバーの装着動作に伴って撓み規制部が摺動可能に進入する進入溝が切り欠きにより形成されているから、撓み規制部の進入動作の円滑性が保障される。
【発明を実施するための最良の形態】
【００１１】
＜実施形態１＞
本発明の実施形態１を図１ないし図１１によって説明する。本実施形態のジョイントコネクタ１０は、複数のバスバー１１と、これらバスバー１１を収容しかつ前面に相手側のサブハウジング３６を嵌合可能な嵌合凹部２１を開口させたバスバー収容部２０と、このバスバー収容部２０の後面に覆設されるカバー４０とを備えている。なお、以下の説明において前後方向については、図１の右側を前方とする。
【００１２】
バスバー１１は、金属板材をプレス加工等して形成されたものであり、バスバー収容部２０の幅方向（左右方向）に配される帯状のバスバー本体１２と、このバスバー本体１２の前縁にて一定間隔をあけて前方へ突出する複数本のタブ片１３とからなる。このバスバー１１は、バスバー収容部２０に対し後方から圧入により装着され、回路構成に応じてバスバー収容部２０の高さ方向に複数段に分かれて配されている。
【００１３】
バスバー収容部２０は、合成樹脂材により一体に形成され、図４に示すように、高さ方向に立ち上げられたブロック状のバスバー装着部２４と、このバスバー装着部２４の前面から前方へ突出して形成され、幅方向（左右方向）に複数室（図示する場合は６室）のハウジング収容室２３を区分けした筒状の嵌合凹部２１とからなる。そして、バスバー収容部２０の両側面のうち図４に示す左側面（以下、図４を左右方向の基準とする）には、バスバー装着部２４の後端からハウジング収容室２３の前端寄りにかけて、図示しない取付対象に固定可能な取付部２５が形成されている。取付部２５は、高さ方向に間隔をあけて配されるとともに前後方向に沿って延出する上下一対のレール部２５Ａとその間に配設された取付突部２５Ｂとからなる。本実施形態におけるジョイントコネクタ１０は、レール部２５Ａに沿って前方から取付対象にスライド装着され、かつ取付突部２５Ｂのロックによって取付対象に固定されるようになっている。
【００１４】
また、バスバー装着部２４の両側面の中央高さ位置には、図９及び図１０に示すように、略方形の係止孔２６が形成されており、この係止孔２６にカバー４０に形成された弾性係止部４１の係止爪４１Ａが嵌まり込むことにより、カバー４０がバスバー収容部２０に係止されるようになっている。係止孔２６の前縁にはここから段差２１Ａを介して一回り大きくなった嵌合凹部２１が連なっており、対応する嵌合凹部２１の後縁にはカバー４０と弾性係止部４１との干渉を回避するための逃がし部２８が切り欠きにより形成されている。
【００１５】
バスバー装着部２４の後面には、図５に示すように、後方からバスバー１１を装着可能なバスバー収容室２９が高さ方向に複数段（図示する場合は４段）に形成されている。バスバー収容室２９は、横向きのスリット状に開口してバスバー本体１２を収容可能なバスバー本体収容部３０とバスバー１１のタブ片１３と対応する位置にあってタブ片１３を貫通させるタブ片挿通孔３１とを備える。バスバー装着部２４のうち、幅方向で隣接する各タブ片挿通孔３１の間には、カバー４０に形成された係合部４２と係合可能な係合受け部３２が高さ方向に凹設されている。バスバー収容室２９は、係合受け部３２によって幅方向の複数箇所（図示する場合は５箇所）で分断されている。また、係合受け部３２及びバスバー収容室２９の各開口縁には、全周に亘って面取りが施されている。
【００１６】
タブ片１３の先端部は、タブ片挿通孔３１を貫通したあと対応するハウジング収容室２３毎に縦一列となって嵌合凹部２１に突出して配される。各ハウジング収容室２３には、相手側のサブハウジング３６が嵌入され、これによりサブハウジング３６に収容された図示しない相手側の雌端子金具とタブ片１３とが接続可能となっている。そして、互いに隣接するサブハウジング３６に収容された雌端子金具同士は、対応するバスバー１１のバスバー本体１２を介して横列毎に短絡されるようになっている。
【００１７】
嵌合凹部２１の上壁のうち、各ハウジング収容室２３と対応する位置には、図７に示すように、サブハウジング３６を抜け止めするランス状のロックアーム３３が切り欠きにより形成されている。ロックアーム３３は、嵌合凹部２１の上壁に入れられた一対のスリット２２Ｂ間にて後方へ向けて片持ち状に延出する形態とされ、嵌合凹部２１の周壁の内外に露出した状態となっている。また、ロックアーム３３は、前後方向に沿って真っ直ぐ延びた自然状態からタブ片１３に接近・離間する方向に弾性撓み可能となっている。
【００１８】
ロックアーム３３の後端側には、サブハウジング３６に形成された係止受け部３７と係止可能な係止突部３４が、下側（ハウジング収容室２３側）に突出して形成されている。係止突部３４の後面は、突出端側に行くにつれ僅かに後退する係止面３４Ａとされ、係止突部３４の前面は、サブハウジング３６の嵌入方向に沿ってテーパ状をなす案内面３４Ｂとされる。
【００１９】
そして、ロックアーム３３の下面には、後述する撓み規制部４５の進入を許容する進入溝３５Ｆが凹設されている。この進入溝３５Ｆは、ロックアーム３３の後面及び下面に開口する形態とされ、断面門型形をなして前後方向に同幅をもって延設されている。詳しくは進入溝３５Ｆは、ロックアーム３３の後面から係止突部３４の後半部分にかけて切り欠き形成され、さらにその溝壁の上面後端部に、撓み規制部４５の誘い込みとなるテーパ状の切欠面３５Ａを有している。
【００２０】
相手側のサブハウジング３６は、合成樹脂製であって、図１に示すように、複数種用意されて立壁状に形成され、対応するハウジング収容室２３に縦向きの姿勢で挿入可能となっている。既述した係止受け部３７は、サブハウジング３６の上面後端に突出して形成され、その前面が突出端側へ行くにつれ前方へ僅かに傾く被係止面３７Ａとされる。サブハウジング３６の側面にはハウジング収容室２３の内壁に形成されたガイド部２３Ａと係合可能なガイド受け部３８が前後方向に沿って複数形成され、これらガイド部２３Ａとガイド受け部３８とが互いに摺接することでサブハウジング３６の嵌入動作が案内される。
【００２１】
また、ガイド部２３Ａとガイド受け部３８とは、それぞれ左右非対称な構造となっており、サブハウジング３６の逆挿入を防止するための識別作用を有している。さらに、サブハウジング３６の側面には、図１１に示すように、正規挿入された雌端子金具を抜け止めするためのリテーナ３９が形成されている。このリテーナ３９は、サブハウジング３６の側面に浮いた状態から内部へ押し込まれて雌端子金具に係止可能となっている。
【００２２】
サブハウジング３６が対応するハウジング収容室２３に挿入されると、その挿入途中で係止受け部３７の後面と係止突部３４の案内面３４Ｂとが摺接し、その摺接動作に伴ってロックアーム３３が上方へ撓み変形する。そののちサブハウジング３６が正規挿入されると、係止受け部３７が係止突部３４を乗り換えてロックアーム３３が弾性復元し、係止突部３４の係止面３４Ａと係止受け部３７の被係止面３７Ａとがサブハウジング３６の抜け方向で係止し合うようになっている。したがって、ロックアーム３３は、正規使用時においては自然状態とその自然状態から上方に浮いた状態との間を変位するのみである。
【００２３】
カバー４０は、合成樹脂材によりバスバー収容部２０とは別体として形成され、前面を開放させたキャップ状をなしている。詳しくはカバー４０は、図６ないし図１０に示すように、背面を構成する後壁４０Ａと、この後壁４０Ａの両側縁から前方へ突出する左右一対の側壁４０Ｂ，４０Ｃと、後壁４０Ａの上下両縁から前方へ突出する上壁４０Ｅ及び下壁４０Ｆとからなる。このカバー４０は、バスバー装着部２４を被覆するようにしてバスバー収容部２０の後部に被せ付けられ、バスバー１１を抜け止めするようになっており、その前縁が嵌合凹部２１の段差２１Ａに当着可能となっている。バスバー収容部２０と下壁４０Ｆの両側部には、バスバー装着部２４の後面下端両側部に形成された両側突部２７と係合可能な両側受け部４３が凹設されている。カバー４０が正規姿勢をとっていると、両側突部２７が両側受け部４３に進入してカバー４０の装着動作が許容されるが、カバー４０が反転姿勢をとっていると、両側突部２７がカバー４０の上壁４０Ｅと干渉してカバー４０の装着動作が阻止されるようになっている。
【００２４】
カバー４０の両側壁４０Ｂ，４０Ｃの中央高さ位置には、内外に撓み変形可能とされた左右一対の弾性係止部４１が形成されている。両側壁４０Ｂ，４０Ｃのうちの左側の側壁４０Ｂには、カバー４０の装着時に取付部２５のレール部２５Ａの突入を許容する上下一対の逃がし凹部４０Ｆが形成されており、両逃がし凹部４０Ｆ間にて左側の弾性係止部４１の撓み変形動作が可能となっている。また、両側壁４０Ｂ，４０Ｃのうちの右側の側壁４０Ｃには、上下一対のスリット４０Ｇが形成されており、両スリット４０Ｇ間にて右側の弾性係止部４１の撓み変形動作が可能となっている。
【００２５】
弾性係止部４１の前端部には、図３に示すように、係止爪４１Ａが内向きに突出して形成されている。カバー４０の装着時には、係止爪４１Ａがバスバー装着部２４の両側面に乗り上げられて弾性係止部４１が撓み変形するが、そののち係止爪４１Ａが係止孔２６に嵌まり込むことで弾性係止部４１が弾性復元してカバー４０が抜け止め状態でバスバー収容部２０に装着されるようになっている。
【００２６】
カバー４０の後壁４０Ａの前面（内側面）には、図６に示すように、幅方向に一定間隔をあけて複数条（図示する場合は５条）の係合部４２が形成されている。係合部４２は、高さ方向に延出するリブ状をなし、高さ方向に一定間隔をあけた複数箇所（図示する場合は３箇所）から前方へ向けて突出する係合突部４２Ａと、各係合突部４２Ａの間に位置する押さえ部４２Ｂとからなる。この係合部４２は、カバー４０の装着時にバスバー装着部２４の係合受け部３２に嵌入するようになっている。また、係合部４２には全周に亘って面取りが施されている。
【００２７】
さて、カバー４０の上壁４０Ｅには、図７に示すように、幅方向に所定間隔をあけて前方へ突出する板状の撓み規制部４５が並列して形成されている。撓み規制部４５は、各ロックアーム３３毎に対応してこのロックアーム３３がサブハウジング３６を係止する係止位置とは別位置に配設され、カバー４０の装着動作に伴い進入溝３５Ｆに突入することで、自然状態にあるロックアーム３３とタブ片１３側で当接可能となっている。
撓み規制部４５の基端側は、ハウジング収容室１３の上壁後端部における開口領域を被覆可能な幅広でかつ厚肉の覆い部４４とされ、撓み規制部４５の先端側は、覆い部４４の幅方向略中央下端部から前方へ突出して進入溝３５Ｆに後方から進入可能な幅狭でかつ薄肉の撓み規制本体部４５Ａとされる。覆い部４４が上記した開口領域を覆うことで、ハウジング収容室１３への異物の侵入が防止されるようになっている。
【００２８】
撓み規制本体部４５Ａは、進入溝３５Ｆに対し幅方向にがたつくことなく進入可能とされ、この進入溝３５Ｆによって進入動作が案内されるようになっている。また、撓み規制本体部４５Ａの上面先端部にはテーパ面４５Ｂが切り欠き形成されており、このテーパ面４５Ｂが進入溝３５Ｆの切欠面３５Ａと摺動することで撓み規制本体部４５Ａが進入溝３５Ｆに誘い込まれるようになっている。
【００２９】
次に、本実施形態の作用を説明する。まず、バスバー収容部２０に対して後方からバスバー１１を圧入により装着する。すると、バスバー本体１２がバスバー装着部２４のバスバー本体収容部３０に密着状態で収容されるとともにタブ片１３の先端部がタブ片挿通孔３１を抜けて嵌合凹部２１のハウジング収容室２３内に突出した状態で配される。
【００３０】
全バスバー１１を挿入したら、続いてバスバー収容部２０に対し後方からカバー４０を被せ付け、弾性係止部４１の係止爪４１Ａをバスバー収容部２０の両側面における係止孔２６の孔縁に弾性係止させる。すると、カバー４０がバスバー収容部２０に対し離脱可能に固定されるとともに、バスバー１１がバスバー収容部２０に抜け止め状態で保持される。このとき、押さえ部４２Ｂがバスバー１１の後端を押圧してバスバー１１を正規深さで圧入させる。
【００３１】
カバー４０の装着動作に伴い、撓み規制部４５の撓み規制本体部４５Ａが進入溝３５Ｆに対して摺動可能に進入する。その後、カバー４０がバスバー収容部２０に正規装着されると、撓み規制本体部４５Ａの先端が進入溝３５Ｆの溝壁の奥面と近接する位置に至り、撓み規制本体部４５Ａとロックアーム３３とが前後方向の広範囲で当接可能とされる。
【００３２】
ところで、カバー４０の装着前は、ロックアーム３３とタブ片１３との間を仕切るものが何もないため、ロックアーム３３が図１に示す矢印方向の外力を受けて下方へ弾性撓みすることがあり、もってロックアーム３３とタブ片１３とが突き当たるおそれがある。しかし、カバー４０の装着後は、撓み規制部４５が自然状態にあるロックアーム３３の下方に配設されて同ロックアーム３３を下支えするから、ロックアーム３３が下方へ弾性撓みするのが規制され、ロックアーム３３とタブ片１３とが突き当たることはない。
【００３３】
カバー４０の装着後、嵌合凹部２１のハウジング収容室２３に対して対応するサブハウジング３６をそれぞれ前方から挿入する。サブハウジング３６が正規姿勢をとっていれば、ガイド部２３Ａとガイド受け部３８との合致により挿入動作が進行し、これによりサブハウジング３６が正規姿勢で挿入されたことを確認できる。
【００３４】
こうしてサブハウジング３６が対応するハウジング収容室２３に正規挿入されると、係止突部３４がバスバー収容部２０に形成されたロックアーム３３に弾性係止され、サブハウジング３６が抜け止めされる。また、サブハウジング３６に収容された複数の雌端子金具が対応するバスバー１１のタブ片１３と接触状態で嵌合し、もって雌端子金具が各バスバー１１を介して横列毎に短絡された状態となる。
【００３５】
本実施形態によれば、仮に、自然状態にあるロックアーム３３が図１に示す矢印方向の外力を受けたとしても、その外力方向と対向する位置に配設されたカバー４０の撓み規制部４５がロックアーム３３と当接することにより、ロックアーム３３のタブ片１３側への弾性撓みを規制するから、ロックアーム３３とタブ片１３とが互いに当たり合うことがない。その結果、ロックアーム３３とタブ片１３とが両者の突き当たりによって塑性変形する事態を回避できる。
また、カバー４０の装着動作に伴って撓み規制部４５がロックアーム３３の進入溝３５Ｆに摺動可能に進入するから、撓み規制部４５の進入動作の円滑性が保障される。
【００３６】
さらに、カバー４０がバスバー収容部２０に装着されるのに伴って撓み規制部４５がロックアーム３３の弾性撓みを規制可能な位置に至るから、カバー４０の装着動作の完了をもってロックアーム３３の弾性撓みが規制されることを知ることができる。加えて、カバー４０がバスバー１１を抜け止めするための機能とロックアーム３３の弾性撓みを規制する機能とを併せ持つから、部品点数を削減できる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態においては、ロックアームに進入溝が形成されていたが、本発明によれば、撓み規制部がロックアームと当接して同ロックアームのタブ片側への弾性撓みを規制可能であれば進入溝がなくても構わない。
（２）上記実施形態においては、バスバー収容部とカバーとを別体として形成していたが、本発明によれば、両者を例えばヒンジにより一体化して形成してもよい。
（３）上記実施形態においては、嵌合凹部が複数のサブハウジングを収容可能となっていたが、本発明によれば、嵌合凹部に仕切りがなく、一の嵌合凹部が一の相手側ハウジングを収容可能となっていてもよい。
（４）本発明によれば、撓み規制部は、常には自然状態にあるロックアームとタブ片との間に同ロックアームと非当接な状態で配設され、ロックアームがタブ片側へ弾性撓みしたときにはその撓み動作の途中で同ロックアームと当接するように構成してもよい。
（５）本発明によれば、撓み規制部は、カバー以外の相手部材であってバスバー収容部に組みつけられる相手部材に設けられていてもよく、あるいは、バスバー収容部に既設の形態を変更した部分に設けられていてもよい。
【図面の簡単な説明】
【００３８】
【図１】本実施形態のジョイントコネクタにおいてサブハウジングが挿入された状態の要部破断した側面図
【図２】サブハウジングが挿入される前の要部破断した側面図
【図３】一部破断した底面図
【図４】バスバー収容部の正面図
【図５】バスバー収容部の背面図
【図６】カバーの正面図
【図７】カバーとバスバー収容部が分離状態にあるときの平面図
【図８】その底面図
【図９】その左側面図
【図１０】その右側面図
【図１１】サブハウジングが挿入される状態の平面図
【符号の説明】
【００３９】
１０…ジョイントコネクタ
１１…バスバー
１３…タブ片
２０…バスバー収容部
３３…ロックアーム
３４…係止突部
３６…サブハウジング
３７…係止受け部
４０…カバー
４５…撓み規制部
【図１】
2006331924.tif 000003
【図２】
2006331924.tif 000004
【図３】
2006331924.tif 000005
【図４】
2006331924.tif 000006
【図５】
2006331924.tif 000007
【図６】
2006331924.tif 000008
【図７】
2006331924.tif 000009
【図８】
2006331924.tif 000010
【図９】
2006331924.tif 000011
【図１０】
2006331924.tif 000012
【図１１】
2006331924.tif 000013